(57)【要約】      （修正有）【課題】複数の飲料用ボトルを安定した状態で確実に支持できる飲料用ボトルの運搬器具を提供する。【解決手段】運搬器具は、一枚のシートを折り曲げて形成される。底部２と、この底部２から折り部を介して延びる一対の側部５，６と、これら一対の側部５，６から延びる一対の取手部８からなり、底部２には飲料用ボトル１００の頭部を挿通するための複数の挿通孔９ａ〜９ｄを設けるとともに各挿通孔９ａ〜９ｄを貫くようにミシン線１８を設け、一対の側部５，６には各挿通孔９ａ〜９ｄに各々対応して飲料用ボトルの蓋部を挿入するための蓋部挿入孔１１ａ〜１１ｄを設け、一対の取手部８には互いに対応するように把持用孔１５を設け、各蓋部挿入孔１１ａ〜１１ｄにはその下縁から上方に向けて突出して飲料用ボトルのフランジ１０２と係合する係合爪１３ａ〜１３ｄを設けてなる。【選択図】図７
0003189702.tif 000002
【実用新案登録請求の範囲】
【請求項１】
一枚のシートを折り曲げて形成され、底部と、この底部から延びる一対の側部と、これら一対の側部から延びる一対の取手部からなり、前記底部には飲料用ボトルの頭部を挿通するための挿通孔を複数設け、前記一対の側部には各挿通孔にそれぞれ対応して飲料用ボトルの蓋部を挿入するための蓋部挿入孔を設け、前記一対の取手部には互いに対応するように把持用孔を設け、前記各蓋部挿入孔にはその下縁から上方に向けて突出して飲料用ボトルのフランジと係合する係合爪を設けたことを特徴とする飲料用ボトルの運搬器具。
【請求項２】
前記底部と前記一対の側部とを折り部を介して連設し、前記底部には、各挿通孔を貫くように切り取り用のミシン線を設けてなることを特徴とする請求項１記載の飲料用ボトルの運搬器具。
【考案の詳細な説明】
【技術分野】
【０００１】
本考案は、飲料用ボトルを複数個吊り下げて運搬する飲料用ボトルの運搬器具に関する。
【背景技術】
【０００２】
従来から、この種の運搬器具は知られているが、ボトルの支持は、ボトルのフランジを運搬器具の側壁に設けた挿入穴の下縁で係止するのが一般的である。
【０００３】
例えば、取手板を２枚連設して折り重ね、各取手板にそれぞれ連設した外側板を斜め外側に折り曲げ、一方の外側板に順次連設した底板及び２枚の内側板を三角筒状に巻き込み、各外側板と内側板とを貼り合わせて側壁をなし、底板にボトルの首部挿入穴を設けるとともに、２枚の内側板の連設部及び外側板と取手板の連設部にボトルの頭部挿入穴を設け、この頭部挿入穴の下縁にボトルのフランジを係合させてボトルを保持するものである（特許文献１参照）。
【先行技術文献】
【特許文献】
【０００４】
【特許文献１】特開２００５―１７０４０７号公報
【考案の概要】
【考案が解決しようとする課題】
【０００５】
しかし、従来の飲料用ボトルの運搬器具は、頭部挿入穴の下縁にボトルのフランジを係合させてボトルを支持するものなので、係合状態が不安定で、確実にボトルを支持できないという不都合があった。この不都合は、特に、前記フランジの水平方向への突出長が短い場合に顕著となる。
本考案は、この問題を解決した飲料用ボトルの運搬器具を提供することを目的とする。
【課題を解決するための手段】
【０００６】
この目的を達成するため本考案に係る飲料用ボトルの運搬器具は、一枚のシートを折り曲げて形成され、底部と、この底部から延びる一対の側部と、これら一対の側部から延びる一対の取手部からなり、前記底部には飲料用ボトルの頭部を挿通するための挿通孔を複数設け、前記一対の側部には各挿通孔にそれぞれ対応して飲料用ボトルの蓋部を挿入するための蓋部挿入孔を設け、前記一対の取手部には互いに対応するように把持用孔を設け、前記各蓋部挿入孔にはその下縁から上方に向けて突出して飲料用ボトルのフランジと係合する係合爪を設けたものである。
【０００７】
底部と一対の側部とを折り部を介して連設し、前記底部には、各挿通孔を貫くように切り取り用のミシン線を設けると好適である。
【考案の効果】
【０００８】
本考案に係る飲料用ボトルの運搬器具によれば、各蓋部挿入孔に設けた係合爪を飲料用ボトルのフランジの下面に係合して、飲料用ボトルを支持するので、係合状態が安定し、確実にボトルを支持できるという効果を奏する。また、底部に切り取り用のミシン線を設けた場合には、このミシン線を破断することによって、飲料用ボトルの取り出しが容易になるという効果を奏する。
【図面の簡単な説明】
【０００９】
【図１】本考案の一実施形態における展開状態を示す平面図。
【図２】同じくミシン線で二つ折りした状態を示す平面図。
【図３】同じく全体を示す斜視図。
【図４】同じく底面図
【図５】同じく飲料用ボトルを支持する動作を説明する側面図。
【図６】同じく飲料用ボトルを支持した状態を説明する部分正面図。
【図７】同じく飲料用ボトルを支持した状態を示す斜視図。
【図８】本考案の他の実施形態を示す斜視図。
【考案を実施するための形態】
【００１０】
以下、本考案の好適な一実施形態を添付図面に基づいて詳細に説明する。
図１〜図４に示すように、飲料用ボトル１００（図５〜図７参照）の運搬器具１は、一枚のシート２１を折り曲げて形成される。図１に示すように、このシート２１は、両面をポリピロピレンで被覆加工され、底部２と、この底部２から折り線を刻設してなる折り部３，４を境にして延びる一対の側部５，６と、これら一対の側部５，６から一体的に延びる一対の取手部７，８からなる。
【００１１】
図１〜図４に示すように、底部２には飲料用ボトル１００の頭部を挿通するための４つの挿通孔９ａ，９ｂ，９ｃ，９ｄを設け、各一対の側部５，６には前記各挿通孔９ａ，９ｂ，９ｃ，９ｄにそれぞれ対応して飲料用ボトル１００の蓋部を挿入するための各４つの蓋部挿入孔１０ａ，１０ｂ，１０ｃ，１０ｄ，１１ａ，１１ｂ，１１ｃ，１１ｄを設けている。これら各蓋部挿入孔１０ａ，１０ｂ，１０ｃ，１０ｄ，１１ａ，１１ｂ，１１ｃ，１１ｄには、その下縁から上方に向けて突出して飲料用ボトル１００のフランジ１０２に係合する係合爪１２ａ，１２ｂ，１２ｃ，１２ｄ，１３ａ，１３ｂ，１３ｃ，１３ｄを設けている。
【００１２】
一対の取手部７，８には、シート２１を各折り部３，４から折り曲げた時に、互いに対応位置するように把持用孔１４，１５を設けている。そして、把持用孔１４，１５の上端縁には、把持するときに上方に折り返して指との接触部分を増して握りやすくするための補助片１６，１７を設けている。また、前記一対の取手部７，８は把持用孔１４，１５及び補助片１６，１７部分を除いて、互いの接触面が接着されている。一方、底部２には、各挿通孔９ａ，９ｂ，９ｃ，９ｄを貫くように、各折り部３，４と平行に直線的に延びる切り取り用のミシン線１８を設けている。
【００１３】
なお、各側部５，６及び取手部７，８には、広告宣伝文や運搬器具１の使用方法などの適宜な情報を表示したり、装飾や広告宣伝用の写真や絵柄を表示することができる。
【００１４】
次に、上述した運搬器具１に支持して運搬する飲料用ボトル１００について説明する。図５〜図７に示すように、飲料用ボトル１００は合成樹脂製で、従来公知のものである。この飲料用ボトル１００の首部１０１には、下部にリング状のフランジ１０２を設け、上部に図示していない雄ネジを設けている。この雄ネジに螺合する図示していない雌ネジを内周面に有する蓋本体１０３は、その下端に、タンパーエビデントバンド１０４が開蓋時に破断される図示していない破断片を介して連設されている。そして、前記タンパーエビデントバンド１０４が前記フランジ１０２に載置されている。
【００１５】
なお、首部１０１から上の部分で飲料用ボトル１００の頭部を構成し、蓋本体１０３とタンパーエビデントバンド１０４とによって飲料用ボトル１００の蓋部を構成する。
【００１６】
本実施形態は以上のように構成したので、図２に示すように、ミシン線１８で二つ折りして、扁平状態にすることができるため、場所をとらずに保管できる。一方、使用にあたっては、前記保管状態から、図３に示すように、各折り部３，４を折って、底部２を平面状にするとともに、各側部５，６を上端に向けて接近する傾斜状にする。
【００１７】
続いて、図５に示すように、飲料用ボトル１００を、その蓋本体１０３が挿通孔９ａに対応位置するようにして、首部を前記挿通孔９ａから運搬器具１の内部に導き、前記蓋本体１０３を各蓋部挿入孔１０ａ，１１ａに対応位置させる。そして、飲料用ボトル１００のフランジ１０２の下面に、係合爪１２ａ，１３ａの先端を係合して、前記飲料用ボトル１００を運搬器具１に支持する。
【００１８】
以上の図５に示す動作を繰り返すことによって、残りの各蓋部挿入孔１０ｂ，１１ｂ，１０ｃ，１１ｃ，１０ｄ，１１ｄの各係合爪１２ｂ，１３ｂ，１２ｃ，１３ｃ，１２ｄ，１３ｄの先端を飲料用ボトル１００のフランジ１０２の下面に係合し（図６参照）、図７に示すように、４本の飲料用ボトル１００を運搬器具１に支持することができる。
【００１９】
一方、この図７に示す支持状態から飲料用ボトル１００を取り外すには、底部２のミシン線１８を破断して、底部２を破断部分から引き離すように変位させればよい。この底部２の変位にともなって、各側部５，６の下端部分も同方向に変位し、フランジ１０２の下面に対する各係合爪１２ａ，１２ｂ，１２ｃ，１２ｄ，１３ａ，１３ｂ，１３ｃ，１３ｄの係合状態が解除されて、各飲料用ボトル１００を運搬器具１から取り外すことができる。
【００２０】
なお、本考案は上述の実施形態に限定されるものではなく、例えば、図８に示すように、蓋部挿入孔１０ａ，１０ｂ，１０ｃ，１０ｄ，１１ａ，１１ｂ，１１ｃ，１１ｄの上縁に沿って、直線的に延びる折り線３１を刻設する加工を施してもよい。このように構成すると、保管時や飲料用ボトル１００を保持した店頭陳列時に、図８に示すように、前記折り線３１で折り曲げることによって、上下方向の占有面積を小さくできるという利点を有する。
【００２１】
また、本考案においては、支持する飲料用ボトル１００の数は４個に限らず、したがって挿通孔９ａ，９ｂ，９ｃ，９ｄや蓋部挿入孔１０ａ，１０ｂ，１０ｃ，１０ｄ，１１ａ，１１ｂ，１１ｃ，１１ｄ及び係合爪１２ａ，１２ｂ，１２ｃ，１２ｄ，１３ａ，１３ｂ，１３ｃ，１３ｄの数も上述したものに限らない。また、補助片１６，１７は設けなくてもよい。さらに、ミシン線１８も設ける必要はなく、この場合は係合爪１２ａ，１２ｂ，１２ｃ，１２ｄ，１３ａ，１３ｂ，１３ｃ，１３ｄを下方に押し下げて、フランジ１０２下面との係合状態を解除して、飲料用ボトル１００を運搬器具１から取り外すものである。
【符号の説明】
【００２２】
１      運搬器具
２      底部
３，４      折り部
５，６      側部
７，８      取手部
９ａ，９ｂ，９ｃ，９ｄ      挿通孔
１０ａ，１０ｂ，１０ｃ，１０ｄ，１１ａ，１１ｂ，１１ｃ，１１ｄ      蓋部挿入孔
１２ａ，１２ｂ，１２ｃ，１２ｄ，１３ａ，１３ｂ，１３ｃ，１３ｄ      係合爪
１４，１５      把持用孔
１６，１７      補助片
１８      ミシン線
２１      シート
３１      折り線
１００      飲料用ボトル
１０１      首部
１０２      フランジ
１０３      蓋本体
１０４      タンパーエビデントバンド
【図１】
0003189702.tif 000003
【図２】
0003189702.tif 000004
【図３】
0003189702.tif 000005
【図４】
0003189702.tif 000006
【図５】
0003189702.tif 000007
【図６】
0003189702.tif 000008
【図７】
0003189702.tif 000009
【図８】
0003189702.tif 000010